(57)【要約】【課題】従来の構造によると、タンクベースのカップ据え置部に一定の水位の水を導きそこに飲水カップを据え置く構造であることから、タンクベースの水を入れたまま持ち運ぶと、タンクベース内の水がタンクベースのカップ据え置部などから流出してしまうので、いったんタンクベースの水を抜いてから、運ぶ必要があった。【解決手段】インナーカップ底部にその内部と外部を仕切るように隔膜を含む電解セル設置し、インナーカップの底部および側面を覆うアウターカップとアウターカップの開口部をインナーカップ側面または上縁で接合する接合部を設けてインナーカップとアウターカップを一体化し、アウターカップとインナーカップの間の空間に電解水を注入するようにした。【選択図】図１
2017115203.tif 000002
【特許請求の範囲】
【請求項１】
インナーカップと、このインナーカップの開口部を密閉できる蓋と、インナーカップ底部にその内部と外部を仕切るように設置した隔膜を含む電解セルと、インナーカップの底部および側面を覆うアウターカップとアウターカップの開口部をインナーカップ側面または上縁で接合する接合部と、アウターカップの底部あるいは側面に設けたアウターカップとインナーカップの間の空間に電解水を注入する注入口と、電源部と、この電源部の電力を前記電解セルに供給する電気的接合部または電気機械的接合部を有することを特徴とする携帯型水素水生成装置。
【請求項２】
水素水生成時にインナーカップ1とアウターカップ３の間に発生するガスの圧力を逃すためにアウターカップの上部開口部付近に圧力調整機構を取り付けた請求工１記載の携帯型水素水生成装置。
【請求項３】
水素水生成時に水素によって上昇するインナーカップ内の圧力を逃すようにインナーカップの蓋１１に圧力調整機構を取り付けた請求工１及び2記載の携帯型水素水生成装置。
【発明の詳細な説明】
【技術分野】
【０００１】
本発明は原水を入れて機能水を生成する機能水生成装置に関し、とりわけ高濃度の溶存水素濃度が得られるよう水素と酸素をそれぞれ分離する隔膜を持って分離し、電気分解によって、水素豊富水が生成できる携帯用の水素水生成装置に関する。
【背景技術】
【０００２】
従来、ポータブル型の水素水生成器としては、飲水カップとタンクを有するタンクベースを別体で構成し、タンクの水をこのタンクベースのカップ据置部に導 き、この水位が一定となるようにするとともに、飲水カップの底部に飲水カップの内側と外側を仕切るように電解セルを設け、この飲水カップに原水を入れて前 記タンクベースのカップ据置部に据え置き、前記電解セルに電力を供給することにより、電気分解反応を起こさせ、飲水カップ側の電極にマイナス、ベースタンクカップ据置部側の電極にはプラスの電圧を印加することによって、前記電解セルの飲水側からは水素が発生し、タンクベースのカップ据え置部側からは酸素や オゾンが発生する。
これによって、飲水側カップ内の原水は水素豊富水となり、タンクベースのカップ据置部側の水はオゾン水になるので、飲水カップ側の水素豊富水を飲用に供する、水素水生成器が公知であった。
さらに１つのカップ内に陽極陰極両方備え、電気分解により水素と酸素両方を混合して発生せしめる水素水生成器が公知であった。
【先行技術文献】
【特許文献】
【０００３】
【特許文献１】特表２０１３−５２５６１２号公報
【特許文献２】特開２０１４−２０８３３７号公報
【発明の概要】
【発明が解決しようとする課題】
【０００４】
しかし、従来の構造によると、タンクベースのカップ据え置部に一定の水位の水を導きそこに飲水カップを据え置く構造であることから、携帯しようとすると飲水カップとタンクベースが別体で構成されているので、飲水カップと、タンクベースを別々に持ち運ぶ必要があった。
また、タンクベースの水を入れたまま持ち運ぶ場合、タンクベース内の水がタンクベースのカップ据え置部などから流出してしまうので、いったんタンクベースの水を抜いてから、運ぶ必要があった。
また、陽極と陰極を分離しない方式では、同一液体中（原水）に水素と酸素を同時発生させる為原水中の酸素溶解が高まり水素溶解を高めることが困難となり溶存水素量を高くすることができなかった。
この為、携帯用の高濃度水素豊富水としては適さない点があった。
【課題を解決するための手段】
【０００５】
そこで、本発明では、インナーカップと、このインナーカップの開口部を密閉できる蓋と、インナーカップ底部にその内部と外部を仕切るように設置した隔膜を含む電解セルと、インナーカップの底部および側面を覆うアウターカップとアウターカップの開口部をインナーカップ側面または上縁で接合する接合部と、アウターカップの底部あるいは側面に設けたアウターカップとインナーカップの間の空間に電解水を注入する注入口と、電源部と、この電源部の電力を前記電解セルに供給する電気的接合部を有するようにした。
【０００６】
さらに、本発明の第２の発明では、アウターカップの上部開口部付近に圧力調整機構を取り付け水素水生成時にインナーカップ1とアウターカップ３の間に発生するガスの圧力を逃すようにした。
【０００７】
さらに、本発明の第３の発明ではインナーカップの蓋１１に圧力調整機構を取り付けて水素水生成時に水素によって上昇するが圧力を逃すようにした。
【発明の効果】
【０００８】
本発明によれば、アウターカップとインナーカップを一体的に構成するとともに、前者と後者の間の空間に電解用の水を入れ、密封できる構造としたので、携帯時に一体で持ち運ぶことができ、この電解用の水や、飲用の水素水あるいは水素水を生成するための原水をインナーカップいれたままでもこれらの水が溢れることがない。
従って、電解用の水を入れるインナーカップとアウターカップの間の空間に予め電気分解用の水を入れておけば、水素水を作成するときにインナーカップに原水をいれ、電源スイッチをオンにするだけで、飲み水カップ側の原水を水素豊富水にして提供することができる。
【０００９】
第２の発明によれば水素水生成時に発生する酸素ガスやオゾンガスによってインナーカップとアウターカップの間の圧力の増加を防止することができるので、両カップの損傷等を防止することができる。
【００１０】
第３の発明によれば、インナーカップの蓋をしたまま、水素豊富水を生成しても、蓋が外れたり、インナーカップが損傷することがない。
【図面の簡単な説明】
【００１１】
【図１】本発明の一実施例を示す断面図
【図２】接合部の他の配置例を示す図
【図３】圧力調整機構の一実施例をしめす断面図
【発明を実施するための形態】
【００１２】
インナーカップ１は、上部には水密構造の蓋１１を着脱可能に取り付け可能とし、底部には、インナーカップの内側と外側を仕切るように電解セル２が設置されている。アウターカップ３はインナーカップ１底部の電解セル２の設置部を含めて、インナーカップ１を覆うように構成され、その上部開口部はインナーカップの側面と接合する接合部４により水密に接合されている。この接合部４はアウターカップ３の開口部がインナーカップの上縁部と接合するようにしても良い。
電解セル２はイオン交換膜等の液不透過性隔膜の両側に電極を配置して構成したものである。
電極は、複数の孔または簾状のスリット等で電極面に開口部を設けたもので、液不透過性隔膜と接し、その開口部の原水と接することができるように加工されている。
電極は上側の電極と下側の電極それぞれ電極端子２ａ、２ｂを有するが、これらは樹脂等でモールドして、インナーカップ1とアウターカップ3の間の空間内に注入される電解用の水と絶縁を保つように構成して、アウターカップ５の外側へ水密に導出される。
導出された電極端子２ａ及び２ｂは下部の筐体8上部に設けられた切離可能な電気的かつ機械的接合部９ａ、９ｂと接合し、内部にある電源１０にリード線１１ａ、１１ｂを介して接続される。
【００１３】
ここでは、電極端子２ａ・２ｂと電気的かつ機械的接合部９ａ・９ｂとリード線１１ａ・１１ｂによって電源部１０の電力を前記電解セル２に供給する電気的接合部を構成している。
しかし、９ａ、９ｂは電気的結合を中有心とし、機械的接合部は別途図示しないフック等の機械的結合部材を用いてアウターカップと、筐体８を結合するようにして両者で電気機械的接合部を構成するようにしても良い。
【００１４】
電源部１０は電池や、電圧制御回路などを有し筐体８に設置された図示しないスイッチにより、直流電圧の電力を前記電気的接合部を介して電解セル２に供給する。
前記電池は乾電池でもよいが、充電電池を用い、図示しないACアダプターを接続することによって、充電できるようにすることが好ましい。
【００１５】
水素水生成時には、インナーカップと水密構造に取り付けた蓋１１により内部に発生する水素によって圧力が上昇するが、圧力弁や、液体を遮断し気体を透す材料を用いた圧力調整機構１２により、圧力を逃す。
また、インナーカップ１とアウターカップ３の間の電解水が電気分解され、オゾンや酸素が発生する。これによってインナーカップ1とアウターカップ３の間の圧力も上昇するが圧力弁や、液体を遮断し気体を透す材料を用いた圧力調整機構６により、圧力を逃す。
また、圧力調整機構６には構造上、あまり、電解水がつかないようにする必要があることから、アウターカップ３の上部開口部に近い位置に設置すると良い。
【００１６】
この携帯用水素水生成器を携帯する場合は、まず、アウターカップ３の底部から、筐体８を取り外し、キャップ５ａを開けて、注入口を上に向けた後、電解水用の水を注入口５から所定の水位迄、注入する。
この水位は電解水注入後キャップ５ａを閉めて中の水が溢れ出てこないよう封止し注入口を下に向けた水素水生成状態で水位が電解セル２より上で、圧力調整弁６より下になる最適な推移に設定するのが好ましい。
次に、インナーカップの蓋１１を開けて、原水をインナーカップ1内部に注入した後、蓋１１を閉める。
そして、電源部を有する筐体8にセットする。
この状態で携帯するのが水素水を早く飲むためには最適であるが、インナーカップ1内の水は、生成する前に、水道やペットボトルなどから入れて使用するようにしても良い。
またインナーカップ内の水は、先に水素水に生成しておいてもよい。
しかし、インナーカップ1とアウターカップ1の間に入れた電解用の水は水量が少なく減少量も少ない為、常時注入した状態で携帯するのが好ましい。
【００１７】
水素水を生成する場合は、筐体８に設けた図示しないスイッチをオンにして、電源部１０を起動させ、電解セル２の上側電極にマイナス電圧、下側電極にプラス電圧を印加する。
これによって、電解セル２による電気分解が開始し、電解セル２の上側からは水素が発生し、インナーカップ1内の原水を高濃度の水素豊富水に生成し、副産物として水素ガスが発生する。
また、このとき、電解セル２の下側からは酸素やオゾンが発生し、インナーカップ1とアウターカップ3内の空間へはこれらのガスが放出される。
よって、インナーカップ１内及びインナーカップ１とアウターカップ３の間の空間でそれぞれの気圧が上昇するが、この気圧の上昇は調圧機構６によってガス抜きすることにより高圧にならないように調整される。
密閉されたインナーカップ内も同様に水素発生により内圧が上昇するが、調圧機能７によってガス抜きすることにより高圧にならないように調整される。
【００１８】
インナーカップ１内に出来上がった水素水は、水素水生成装置を傾けることによって、インナーカップ1の上部から直接、またはコップなどの他の容器に移して飲用することができる。このときインナーカップ1とアウターカップ３の空間内にある電解用の水は破線13のようになる場合があるが接合部４は水密に構成されているので、電解水が外 にこぼれる心配はない。
【００１９】
残った水素水は蓋１１を閉めておくことにより、長時間、溶存水素濃度を保つことができるので、後でそのまま飲用してもよいし、再度短時間の水素水生成動作を行うだけで、より高濃度の水素豊富水を飲用することができる。
【００２０】
これまでは、インナーカップ底部の内側と外側を仕切るようにインナーカップの底面にほぼ水平に設置する場合の例について説明したが、電解セル２の角度は特に限定されるものではなく、底部の側面を利用してほぼ垂直にしてインナーカップにその内部と外部を仕切るように設置してもよいし、インナーカップの底部をほぼ４５°の角度に形成しそこにインナーカップの内部と外部を区切るように取り付ければ斜めに取り付けることも可能である。したがって、本実施形態において電解セルの角度については特に限定されるものではない。
【実施例】
【００２１】
図２はインナーカップとアウターカップを接合する接合部の他の実施例を示す図であり、
インナーカップ１の外周に上縁に凸部１ａを設けインナーカップを覆うアウターカップ３の開口部上面と凸部を接合部４によって全周にわたって固着する。
固着方法は、接着材、超音波接合などを用いることができる。
【００２２】
図３は圧力調整機構の一実施例を示す図であり、圧力調整壁１４の内側Ｂの圧力が、その外側Ａより所定値以上高くなると、スライド弁１５がワッシャ１６で固定されているバネ１７の弾圧力に抗してスライドし、矢印Ｃ方向に上昇するので気体放出口１３が圧力調整壁１４より突出し、圧力調整壁１４の内側Ｂの気体が気体放出口１３から放出され圧力調整壁１４の内側Ｂの圧力を低下させることができる。
【符号の説明】
【００２３】
１インナーカップ
２電解セル
３アウターカップ
４接合部
５注入口
６アウターカップに取り付けた圧力調整機構
７インナーカップの蓋に取り付けた
８筐体
１０電源部
１１インナーカップの蓋
【図１】
2017115203.tif 000003
【図２】
2017115203.tif 000004
【図３】
2017115203.tif 000005
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
インナーカップ（１）の下部がその外壁面とアウターカップ（３）の内壁面との間に電解水が入る空間を設けて収納されているとともに、前記インナーカップ（１）の外壁面とアウターカップ（３）の上端部とが接合部（４）により接合されて、かつ、前記インナーカップ（１）の底部にはインナーカップ（１）の内側と外側とを仕切る液不透過性隔膜の両側に電極を配置した電解セル（２）が設置されており、さらに、前記アウターカップ（３）の底部には電解水を注入する注入口（５）が設けられているとともに、アウターカップ（３）の下方に取り付けられた筐体（８）内の電源部（１０）から切離可能な電気的機械的接合部（９ａ、９ｂ）を介して前記電解セル（２）の電極端子（２ａ、２ｂ）に電源が供給されることを特徴とする携帯型水素水生成装置。    
【請求項２】
前記アウターカップ（３）上部には圧力調整機構（６）が設けられている請求項１記載の携帯型水素水生成装置。
【請求項３】
インナーカップ（１）の上部開口部に嵌着されるインナーカップの蓋（１１）に調圧機能（７）が設けられている請求項１または２記載の携帯型水素水生成装置。
【手続補正２】
【補正対象書類名】明細書
【補正対象項目名】全文
【補正方法】変更
【補正の内容】
【発明の詳細な説明】
【技術分野】
【０００１】
本発明は原水を入れて機能水を生成する機能水生成装置に関し、とりわけ高濃度の溶存水素濃度が得られるよう水素と酸素をそれぞれ分離する隔膜を使用して分離し、電気分解によって、水素豊富水が生成できる携帯用の水素水生成装置に関する。
【背景技術】
【０００２】
従来、ポータブル型の水素水生成器としては、飲水カップとタンクを有するタンクベースを別体で構成し、タンクの水をこのタンクベースのカップ据置部に導き、この水位が一定となるようにするとともに、飲水カップの底部に飲水カップの内側と外側を仕切るように電解セルを設け、この飲水カップに原水を入れて前記タンクベースのカップ据置部に据え置き、前記電解セルに電力を供給することにより、電気分解反応を起こさせ、飲水カップ側の電極にマイナス、ベースタンクカップ据置部側の電極にはプラスの電圧を印加することによって、前記電解セルの飲水側からは水素が発生し、タンクベースのカップ据置部側からは酸素ガスや オゾンガスが発生する。これによって、飲水カップ内の原水は水素豊富水となり、タンクベースのカップ据置部側の水はオゾン水になるので、飲水カップ側の水素豊富水を飲用に供する水素水生成器が公知であった。さらに１つのカップ内に陽極陰極両方備え、電気分解により水素と酸素両方を混合して発生せしめる水素水生成器が公知であった。
【先行技術文献】
【特許文献】
【０００３】
【特許文献１】特表２０１３−５２５６１２号公報
【特許文献２】特開２０１４−２０８３３７号公報
【発明の概要】
【発明が解決しようとする課題】
【０００４】
しかし、従来の構造によると、タンクベースのカップ据置部に一定の水位の水を導きそこに飲水カップを据え置く構造であることから、携帯しようとすると飲水カップとタンクベースが別体で構成されていると、飲水カップとタンクベースとを別々に持ち運ぶ必要があった。また、タンクベースの水を入れたまま持ち運ぶ場合、タンクベース内の水がタンクベースのカップ据置部などから流出してしまうので、いったんタンクベースの水を抜いてから運ぶ必要があった。また、陽極と陰極を分離しない方式では、同一液体中（原水）に水素と酸素を同時発生させる為原水中の酸素溶解が高まり水素溶解を高めることが困難となり溶存水素量を高くすることができなかった。この為、携帯用の高濃度水素豊富水としては適さない点があった。
【課題を解決するための手段】
【０００５】
前述の課題を解決するために、
第１の発明は、インナーカップ１の下部がその外壁面とアウターカップ３の内壁面との間に電解水が入る空間を設けて収納されているとともに、前記インナーカップ１の外壁面とアウターカップ３の上端部とが接合部４により接合されて、かつ、前記インナーカップ１の底部にはインナーカップ１の内側と外側とを仕切る液不透過性隔膜の両側に電極を配置した電解セル２が設置されており、さらに、前記アウターカップ３の底部には電解水を注入する注入口５が設けられているとともに、アウターカップ３の下方に取り付けられた筐体８内の電源部１０から切離可能な電気的機械的接合部９ａ、９ｂを介して前記電解セル２の電極端子２ａ、２ｂに電源が供給される構造とした。
【０００６】
第２の発明は、
前記アウターカップ３上部には圧力調整機構６が設けられていることを好ましい条件とした。
【０００７】
さらに、第３の発明は、
インナーカップ１の上部開口部に嵌着されるインナーカップの蓋１１に調圧機能７が設けられているを好ましい条件とした。
【０００８】
インナーカップ１と、このインナーカップ１の開口部を密閉できる蓋と、インナーカップ１底部にその内部と外部を仕切るように設置した隔膜を含む電解セル２と、インナーカップ１の底部および側面を覆うアウターカップ３とアウターカップ３の開口部をインナーカップ１側面または上縁で接合する接合部４と、アウターカップ３の底部あるいは側面に設けたアウターカップ３とインナーカップ１の間の空間に電解水を注水する注入口５と、電源部１０とこの電源部の電力を前記電解セル２に供給する電気的接合部を有するようにした。  
【０００９】
さらに、アウターカップ３の上部開口部付近に圧力調整機構６を取り付け水素水生成時にインナーカップ1とアウターカップ３の間に発生するガスの圧力を逃すようにした。
【００１０】
そしてインナーカップの蓋１１に調圧機能７を取り付けて水素水生成時に水素によって上昇する圧力を逃すようにした。
【発明の効果】
【００１１】
本発明によれば、アウターカップとインナーカップを一体的に構成するとともに、前者と後者の間の空間に電解用の水を入れ、密閉できる構造としたので、携帯時に一体で持ち運ぶことができ、この電解用の水や、飲用の水素水あるいは水素水を生成するための原水をインナーカップにいれたままでもこれらの水が溢れることがない。従って、電解用の水を入れるインナーカップとアウターカップの間の空間に予め電解用の水を入れておけば、水素水を作成するときにインナーカップに原水をいれ、電源スイッチをオンにするだけで、飲水カップ側の原水を水素豊富水にして提供することができる。
【００１２】
また、水素水生成時に発生する酸素ガスやオゾンガスによってインナーカップとアウターカップの間の圧力の増加を防止することができるので、両カップの損傷等を防止することができる。
【００１３】
さらに、インナーカップの蓋をしたまま、水素豊富水を生成しても、蓋が外れたり、インナーカップが損傷することがない。
【図面の簡単な説明】
【００１４】
【図１】本発明の一実施例を示す断面図
【図２】接合部の実施例を示す図
【図３】圧力調整機構の一実施例を示す断面図
【発明を実施するための形態】
【００１５】
インナーカップ１は、上部には水密構造のインナーカップの蓋１１を着脱可能に取り付け可能とし、底部にはインナーカップ１の内側と外側を仕切るように電解セル２が設置されている。アウターカップ３はインナーカップ１底部の電解セル２の設置部を含めて、インナーカップ１を覆うように構成され、その上部開口部はインナーカップ１の側面と接合する接合部４により水密に接合されている。この接合部４はアウターカップ３の開口部がインナーカップ１の上縁部と接合するようにしても良い。電解セル２はイオン交換膜等の液不透過性隔膜の両側に電極を配置して構成したものである。電極は、複数の孔または簾状のスリット等で電極面に開口部を設けたもので、液不透過性隔膜と接し、その開口部の原水と接することができるように加工されている。電極は上側の電極と下側の電極それぞれ電極端子２ａ、２ｂを有するが、これらは樹脂等でモールドして、インナーカップ１とアウターカップ３の間の空間内に注水される電解用の水と絶縁を保つように構成して、アウターカップ３の外側へ水密に導出される。導出された電極端子２ａ及び２ｂは下部の筐体８上部に設けられた切離可能な電気的かつ機械的接合部９ａ、９ｂと接合し、内部にある電源部１０にリード線１１ａ、１１ｂを介して接続される。
【００１６】
ここでは、電極端子２ａ、２ｂと電気的かつ機械的接合部９ａ、９ｂとリード線１１ａ、１１ｂによって電源部１０の電力を前記電解セル２に供給する電気的接合部を構成している。しかし、９ａ、９ｂは電気的結合を中心とし、機械的接合部は別途図示しないフック等の機械的結合部材を用いてアウターカップ３と、筐体８を結合するようにして両者で電気機械的接合部を構成するようにしても良い。
【００１７】
電源部１０は電池や、電圧制御回路などを有し筐体８に設置された図示しないスイッチにより、直流電圧の電力を前記電気的接合部を介して電解セル２に供給する。前記電池は乾電池でもよいが、充電電池を用い、図示しないＡＣアダプターを接続することによって、充電できるようにすることが好ましい。
【００１８】
水素水生成時には、インナーカップ１と水密構造に取り付けたインナーカップの蓋１１により内部に発生する水素によって圧力が上昇するが、圧力弁や、液体を遮断し気体を透す材料を用いた調圧機能７により圧力を逃す。また、インナーカップ１とアウターカップ３の間の電解水が電気分解され、オゾンガスや酸素ガスが発生する。これによってインナーカップ１とアウターカップ３の間の圧力も上昇するが圧力弁や、液体を遮断し気体を透す材料を用いた圧力調整機構６により圧力を逃す。また、圧力調整機構６には構造上あまり電解水がつかないようにする必要があることから、アウターカップ３の上部開口部に近い位置に設置すると良い。
【００１９】
この携帯型水素水生成器を携帯する場合は、まずアウターカップ３の底部から、筐体８を取り外し、キャップ５ａを開けて、注入口５を上に向けた後、電解水用の水を注入口５から所定の水位まで注水する。この水位は電解水注入後キャップ５ａを閉めて中の水が溢れ出てこないよう封止し注入口５を下に向けた水素水生成状態で水位が電解セル２より上で、圧力調整機構６より下になる最適な推移に設定するのが好ましい。次に、インナーカップの蓋１１を開けて、原水をインナーカップ１内部に注水した後、インナーカップの蓋１１を閉める。そして、電源部１０を有する筐体８にセットする。この状態で携帯するのが水素水を早く飲むためには最適であるが、インナーカップ１内の水は、生成する前に、水道やペットボトルなどから入れて使用するようにしても良い。またインナーカップ１内の水は、先に水素水に生成しておいてもよい。しかし、インナーカップ１とアウターカップ３の間に入れた電解用の水は水量が少なく減少量も少ない為、常時注水した状態で携帯するのが好ましい。
【００２０】
水素水を生成する場合は、筐体８に設けた図示しないスイッチをオンにして、電源部１０を起動させ、電解セル２の上側電極にマイナス電圧、下側電極にプラス電圧を印加する。これによって、電解セル２による電気分解が開始し、電解セル２の上側からは水素が発生し、インナーカップ１内の原水を高濃度の水素豊富水に生成し、副産物として水素ガスが発生する。また、このとき、電解セル２の下側からは酸素ガスやオゾンガスが発生し、インナーカップ１とアウターカップ３内の空間へはこれらのガスが放出される。よって、インナーカップ１内及びインナーカップ１とアウターカップ３の間の空間でそれぞれの気圧が上昇するが、この気圧の上昇は圧力調整機構６によってガス抜きすることにより高圧にならないように調整される。密閉されたインナーカップ１内も同様に水素発生により内圧が上昇するが、調圧機能７によってガス抜きすることにより高圧にならないように調整される。
【００２１】
インナーカップ１内に出来上がった水素水は、水素水生成装置を傾けることによって、インナーカップ１の上部から直接、またはコップなどの他の容器に移して飲用することができる。このときインナーカップ１とアウターカップ３の空間内にある電解用の水は破線Ｌのようになる場合があるが接合部４は水密に構成されているので、電解水が外にこぼれる心配はない。
【００２２】
残った水素水はインナーカップの蓋１１を閉めておくことにより、長時間、溶存水素濃度を保つことができるので、後でそのまま飲用してもよいし、再度短時間の水素水生成動作を行うだけで、より高濃度の水素豊富水を飲用することができる。
【００２３】
これまでは、インナーカップ１底部の内側と外側を仕切るようにインナーカップ１の底面にほぼ水平に電解セル２を設置する場合の例について説明したが、電解セル２の角度は特に限定されるものではなく、底部の側面を利用してほぼ垂直にしてインナーカップ１にその内部と外部を仕切るように設置してもよいし、インナーカップ１の底部をほぼ４５°の角度に形成しそこにインナーカップ１の内部と外部を仕切るように取り付ければ斜めに取り付けることも可能である。したがって、本実施形態において電解セル２の角度については特に限定されるものではない。
【実施例】
【００２４】
図２はインナーカップ１とアウターカップ３を接合する接合部４の他の実施例を示す図であり、インナーカップ１の外周に上縁に凸部１ａを設けインナーカップ１を覆うアウターカップ３の開口部上面と凸部を接合部４によって全周にわたって固着する。固着方法は、接着材、超音波接合などを用いることができる。  
【００２５】
図３は圧力調整機構６の一実施例を示す図であり、圧力調整壁１４の内側Ｂの圧力が、その外側Ａより所定値以上高くなると、スライド弁１５がワッシャ１６で固定されているバネ１７の弾圧力に抗してスライドし、矢印Ｃ方向に上昇するので気体放出口１３が圧力調整壁１４より突出し、圧力調整壁１４の内側Ｂの気体が気体放出口１３から放出され圧力調整壁１４の内側Ｂの圧力を低下させることができる。
【符号の説明】
【００２６】
１インナーカップ
２電解セル
３アウターカップ
４接合部
５注入口
６アウターカップに取り付けた圧力調整機構
７インナーカップの蓋に取り付けた調圧機能
８筐体
１０電源部
１１インナーカップの蓋
【手続補正３】
【補正対象書類名】図面
【補正対象項目名】図１
【補正方法】変更
【補正の内容】
【図１】
2017115203.tif 000006